(57)【特許請求の範囲】
【請求項１】
コイル状のアンテナを備えた薄板状のメモリカードを受け容れるカード受容部が形成されたケースと、
前記カード受容部内に挿入されたメモリカードに連動して当該メモリカードの挿抜方向に進退可能となるように当該カード受容部内に保持されたスライダと、
を備え、
前記カード受容部内に押し込まれたメモリカードを、スライダを介して当該カード受容部内の奥側に保持するメモリカード用ソケットであって、
前記アンテナと対向するコイル状の２次アンテナを有する板状のアンテナブロックを備え、
前記アンテナブロックの２次アンテナのコイルの内側となる部分に空洞部を形成したことを特徴とするメモリカード用ソケット。
【請求項２】
コイル状のアンテナを備えた薄板状のメモリカードを受け容れるカード受容部が形成されたケースと、
前記カード受容部内に挿入されたメモリカードに連動して当該メモリカードの挿抜方向に進退可能となるように当該カード受容部内に保持されたスライダと、
を備え、
前記カード受容部内に押し込まれたメモリカードを、スライダを介して当該カード受容部内の奥側に保持するメモリカード用ソケットであって、
前記アンテナと対向するコイル状の２次アンテナを有する板状のアンテナブロックを備え、
前記アンテナブロックの２次アンテナのコイルの内側となる部分に磁性シートを設けたことを特徴とするメモリカード用ソケット。
【請求項３】
コイル状のアンテナを備えた薄板状のメモリカードを受け容れるカード受容部が形成されたケースと、
前記カード受容部内に挿入されたメモリカードに連動して当該メモリカードの挿抜方向に進退可能となるように当該カード受容部内に保持されたスライダと、
を備え、
前記カード受容部内に押し込まれたメモリカードを、スライダを介して当該カード受容部内の奥側に保持するメモリカード用ソケットであって、
前記アンテナと対向するコイル状の２次アンテナを有する板状のアンテナブロックを備え、
前記アンテナブロックに、２次アンテナとメモリカードのアンテナとの間に位置するように磁性シートを設けたことを特徴とするメモリカード用ソケット。
【請求項４】
前記磁性シートを、少なくとも２次アンテナの外周縁より内側の全域をカバーするように設けたことを特徴とする請求項３に記載のメモリカード用ソケット。
【請求項５】
前記磁性シートを、２次アンテナのコイルに沿って帯状に設けたことを特徴とする請求項３に記載のメモリカード用ソケット。
【請求項６】
前記アンテナブロックを、メモリカードの挿抜方向に進退可能に設けたことを特徴とする請求項１〜５のうちいずれか一つに記載のメモリカード用ソケット。
【発明の詳細な説明】
【技術分野】
【０００１】
本発明は、非接触通信によって外部とのデータ授受を行うＩＣカード機能を持たせたカード状の小型記憶媒体（以下メモリカードと記す）を挿抜可能に保持するためのメモリカード用ソケットに関するものである。
【背景技術】
【０００２】
従来、ディジタルカメラや携帯電話機等の電子機器におけるデータ記憶手段として、カード型のハウジングにフラッシュメモリのような不揮発性メモリを内蔵したメモリカード（例えば、ＳＤメモリカード（登録商標）やマルチメディアカード（登録商標）等）が普及してきた。
【０００３】
かかるメモリカードを挿抜自在に接続するためのメモリカード用ソケットとして、薄板状のメモリカードを受け容れるカード受容部が形成されたケースと、カード受容部内に挿入されたメモリカードに連動して当該メモリカードの挿抜方向に進退可能となるように当該カード受容部内に保持されたスライダと、を備え、カード受容部内に押し込まれたメモリカードを、スライダを介して当該カード受容部内の奥側に保持するメモリカード用ソケットが、知られている（例えば、特許文献１参照）。
【０００４】
かかるメモリカード用ソケットでは、メモリカードをカード受容部の奥側に押し込むとメモリカードがロックされ、再度奥側に押し込むとロックが解除される、所謂プッシュオン・プッシュオフ型のロック機構が装備されている。また、スライダは、カード受容部内で、コイルスプリング等の付勢手段によってカード挿入口側に付勢されている。
【０００５】
すなわち、メモリカードを装着する際には、メモリカードをカード受容部の最奥部まで押し込んで、メモリカードへの押力を解除すると、メモリカードを保持したスライダが付勢手段による付勢力によって押され、カード挿入口側に少し戻った位置（ロック位置）でロックされる。
【０００６】
一方、メモリカードを取り出す際には、メモリカードを一旦ロック位置よりも少し奥側に押し込んでメモリカードへの押力を解除すると、ロック機構によるスライダのロックが解除され、当該スライダが付勢手段による付勢力によって押し出されて、メモリカードがカード挿入口から外に露出する。
【０００７】
ところで、今後、非接触通信によって外部とのデータ授受を行うＩＣカード機能を持たせたメモリカードが普及すると予測されている。かかるＩＣカード機能付きのメモリカードには非接触通信用のアンテナが内蔵されるが、メモリカード自体が小型であるため内蔵アンテナも必然的に小型になり、通信距離の確保が重要な課題となる。特許文献２には、アンテナを内蔵したクレジットカード型のアダプタにＩＣカード機能付きメモリカードを装着することで通信距離を確保する技術が開示されている。
【特許文献１】特開２００５−２６０１６号公報
【特許文献２】特開２００２−２７９３７７号公報
【発明の開示】
【発明が解決しようとする課題】
【０００８】
しかしながら、上記特許文献２に記載されている従来例のようにクレジットカード型のアダプタを使用した場合、従来のメモリカード用ソケットには装着することができず、専用のソケットを新たに設計し直す必要があり、しかも、ソケットが大型化するとともに製造コストが大幅に増大するという問題があった。
【０００９】
そこで、本発明は、より小型かつより簡素な構成を備え、かつ製造コストの増大を抑制することが可能な、非接触通信機能を備えたメモリカード用ソケットを得ることを目的とする。
【課題を解決するための手段】
【００１０】
請求項１の発明にあっては、コイル状のアンテナを備えた薄板状のメモリカードを受け容れるカード受容部が形成されたケースと、上記カード受容部内に挿入されたメモリカードに連動して当該メモリカードの挿抜方向に進退可能となるように当該カード受容部内に保持されたスライダと、を備え、上記カード受容部内に押し込まれたメモリカードを、スライダを介して当該カード受容部内の奥側に保持するメモリカード用ソケットであって、上記アンテナと対向するコイル状の２次アンテナを有する板状のアンテナブロックを備え、上記アンテナブロックの２次アンテナのコイルの内側となる部分に空洞部を形成したことを特徴とする。
【００１１】
請求項２の発明にあっては、コイル状のアンテナを備えた薄板状のメモリカードを受け容れるカード受容部が形成されたケースと、上記カード受容部内に挿入されたメモリカードに連動して当該メモリカードの挿抜方向に進退可能となるように当該カード受容部内に保持されたスライダと、を備え、上記カード受容部内に押し込まれたメモリカードを、スライダを介して当該カード受容部内の奥側に保持するメモリカード用ソケットであって、上記アンテナと対向するコイル状の２次アンテナを有する板状のアンテナブロックを備え、上記アンテナブロックの２次アンテナのコイルの内側となる部分に磁性シートを設けたことを特徴とする。
【００１２】
請求項３の発明にあっては、コイル状のアンテナを備えた薄板状のメモリカードを受け容れるカード受容部が形成されたケースと、上記カード受容部内に挿入されたメモリカードに連動して当該メモリカードの挿抜方向に進退可能となるように当該カード受容部内に保持されたスライダと、を備え、上記カード受容部内に押し込まれたメモリカードを、スライダを介して当該カード受容部内の奥側に保持するメモリカード用ソケットであって、上記アンテナと対向するコイル状の２次アンテナを有する板状のアンテナブロックを備え、上記アンテナブロックに、２次アンテナとメモリカードのアンテナとの間に位置するように磁性シートを設けたことを特徴とする。
【００１３】
請求項４の発明にあっては、上記磁性シートを、少なくとも２次アンテナの外周縁より内側の全域をカバーするように設けたことを特徴とする。
【００１４】
請求項５の発明にあっては、上記磁性シートを、２次アンテナのコイルに沿って帯状に設けたことを特徴とする。
【００１５】
請求項６の発明にあっては、上記アンテナブロックを、メモリカードの挿抜方向に進退可能に設けたことを特徴とする。
【発明の効果】
【００１６】
請求項１の発明によれば、２次アンテナのコイルの内側となる部分に形成した空洞部によって、コイルの内側となる部分に樹脂や金属等が存在した場合に比べて、当該コイルの内側となる部分の比誘電率を低くすることができ、以て、外部のリーダライタの磁界によって生じる電磁誘導起電力によるロスを小さくし、２次アンテナやメモリカードに内蔵されるアンテナの誘起電力を増大させ、通信距離を伸ばすことができる。
【００１７】
請求項２の発明によれば、２次アンテナのコイルの内側となる部分に設けた磁性シートによって、コイルの内側となる部分に樹脂や金属等が存在した場合に比べて、当該コイルの内側となる部分の比透磁率を高くすることができ、以て、外部のリーダライタの磁力線をコイルの内側に引き込み、２次アンテナの誘起電力を増大させ、通信距離を伸ばすことができる。
【００１８】
請求項３の発明によれば、２次アンテナとメモリカードのアンテナとの間に位置するように設けた磁性シートによって、外部のリーダライタの磁力線を引き込んで２次アンテナの誘起電力を増大させ、通信距離を伸ばすことができる。
【００１９】
請求項４の発明によれば、少なくとも２次アンテナの外周縁より内側の全域をカバーするように設けた磁性シートによって、外部のリーダライタの磁力線をコイルの内側や２次アンテナ上に引き込み、２次アンテナの誘起電力を増大させ、通信距離を伸ばすことができる。
【００２０】
請求項５の発明によれば、２次アンテナのコイルに沿って帯状に設けた磁性シートによって、外部のリーダライタの磁力線を２次アンテナのコイルの内側や２次アンテナ上に引き込んで、当該２次アンテナの誘起電力を増大させるとともに、当該２次アンテナの誘起電力による磁界と外部のリーダライタからの直接の磁界との双方をより効果的に作用させてメモリカードに内蔵されたアンテナの誘起電力を増大させて、通信距離を飛躍的に増大させることができる。
【００２１】
請求項６の発明によれば、メモリカードが進退する区間のうち少なくとも一部で、メモリカードとアンテナブロックとの相対的な位置関係を一義的に定めることができるようになるので、非接触通信の信頼性の向上を図ることができる上、メモリカード用ソケットに対して挿抜すべくメモリカードを押し込み操作する際に、アンテナブロックが干渉して押し込みにくくなるのを抑制することができる。
【発明を実施するための最良の形態】
【００２２】
以下、本発明の実施形態について図面を参照しながら詳細に説明する。
【００２３】
（第１実施形態）図１は、本実施形態にかかるメモリカード用ソケットおよびメモリカードの斜視図、図２は、メモリカード用ソケットに含まれるソケットブロックの斜視図、図３は、メモリカード用ソケットに含まれるアンテナブロックの分解斜視図、図４は、アンテナブロックを可動案内するガイド部材を示す図であって、（ａ）は、図１のＢ−Ｂ断面図、（ｂ）は、（ａ）のＣ−Ｃ断面図、図５は、図１のＡ−Ａ断面図、図６は、メモリカード用ソケットで用いられる板バネを示す図であって、（ａ）は、平面図、（ｂ）は側面図、図７は、アンテナブロックの動作図であって、（ａ）は、メモリカードが装着位置にある状態での斜視図、（ｂ）は、メモリカードが奥側に押し込まれた状態での斜視図、である。
【００２４】
なお、以下の説明では、便宜上、メモリカードＭＣの電極１２ｄが形成された表面側を上側、その裏面側を下側と規定する。
【００２５】
本実施形態にかかるメモリカード用ソケット１は、電子機器等（図示せず）に装備され、メモリカードＭＣを挿抜可能に装着するためのソケットとして機能するものである。装着状態では、メモリカードＭＣの表面または裏面に隔壁部１２ｃを介して複数形成された電極１２ｄと、メモリカード用ソケット１に設けられた複数の接触端子６との対応するもの同士が接触して導通し、電子機器等とメモリカードＭＣとの間でデータの授受が可能となる。
【００２６】
また、このメモリカード用ソケット１は、外部のリーダライタとの間で非接触通信を行うための装備を有しており、メモリカードＭＣを保持するためのソケットブロック７の他に、当該ソケットブロック７上に載置されて、非接触通信を行うための２次アンテナ２０Ｂが形成されたアンテナブロック１７を備えている。
【００２７】
まずは、ソケットブロック７について説明する。
【００２８】
ソケットブロック７は、従来の非接触通信機能を有しないメモリカード用ソケットとほぼ同様の構成および機能を有するもので、メモリカードＭＣをカード挿入口２ｂからカード受容部２ａ内に挿入して押し込むことで当該メモリカードＭＣが所定の装着位置でロックされ、再度押し込むことでロックが解除されてメモリカードＭＣがカード受容部２ａのカード挿入口２ｂから飛び出す、いわゆるプッシュオン・プッシュオフ機能を備えたものとして構成される。
【００２９】
このソケットブロック７は、図１および図２に示すように、基本的には、一側面（挿入方向手前側の前面）に細長い帯状のカード挿入口２ｂが形成された扁平な略角筒状に構成されたケース２と、ケース２のカード受容部２ａ内でカード挿入口２ｂ側と奥側との間で進退可能に支持されるスライダ５と、スライダ５をカード受容部２ａ内でカード挿入口２ｂ側に付勢する付勢機構としてのコイルスプリング（図示せず）と、ケース２のカード受容部２ａの奥側に設けられたコンタクトブロック（図示せず）と、を備えて構成されている。
【００３０】
ケース２は、ステンレススチール等の導電性を有しかつ熱伝導性の良好な金属薄板を適宜に成形したベースシェル４とカバーシェル３とを結合して構成されている。
【００３１】
ベースシェル４は、基底壁部４ａの相互に対向する平行な一対の端辺を略直角に折り曲げて、図には現れない略一定高さの帯状の側壁部を立設したものとして構成される。そして、カード挿入口２ｂ側の角部には、基底壁部４ａまたは側壁部（本実施形態では基底壁部４ａ）を切り起こして、スライダ５がカード挿入口２ｂから脱落するのを抑制するストッパ４ｂが形成されている。
【００３２】
基底壁部４ａには、カード挿入口２ｂ側から奥側にかけて大きく切り欠かれた開口部４ｃが形成されており、メモリカードＭＣを装着した状態で、導体からなる基底壁部４ａ（ベースシェル４）が、メモリカードＭＣに内蔵したアンテナ（ループコイル）２０Ａとアンテナブロック１７に設けた２次アンテナ２０Ｂ（ループコイル；平面コイル）Ｂとの間に介在しないようにしてある。
【００３３】
一方、カバーシェル３は、基底壁部３ａの相互に対向する平行な一対の端辺を略直角に折り曲げて、略一定高さの帯状の側壁部３ｂを立設したものとして構成される。
【００３４】
そして、ベースシェル４とカバーシェル３とを、それらの凹部同士を相互に対向させ、かつそれらの側壁部同士を重ね合わせるようにして略角筒形状に結合し、当該角筒形状の一方の開口を棒状の絶縁性樹脂からなるコンタクトブロック（図示せず）で塞ぎ、以て、ケース２内に、扁平な有底角筒状のカード受容部２ａを形成している。メモリカードＭＣは、このカード受容部２ａ内に収容される。
【００３５】
なお、本実施形態では、相互に重なり合う側壁部のうち外側となるカバーシェル３の側壁部３ｂには、適宜の形状に打ち抜かれてなる爪部３ｃを形成し、この爪部３ｃを内側に折り曲げてベースシェル４の側壁部と係合させることで、ベースシェル４とカバーシェル３とを相互に結合するようにしている。
【００３６】
スライダ５は、カード受容部２ａ内に、カード挿入口２ｂ側と奥側との間で進退可能な状態で緩挿されている。このスライダ５は、奥壁部５ａ、一対の側壁部５ｂ、および角壁部５ｃを備えて、平面視で略コ字状に形成されており、所定の姿勢でカード受容部２ａ内に挿入したメモリカードＭＣの奥側の端縁が、これら一対の側壁部５ｂ、および角壁部５ｃの内壁に衝合するようになっている。また、スライダ５の側壁部５ｂには、メモリカードＭＣの側縁に設けられた切欠部１２ａに挿入される突起（図示せず）が形成されており、この突起と切欠部１２ａとの係合により、メモリカードＭＣがスライダ５に保持されるようになっている。したがって、メモリカードＭＣをカード受容部２ａ内に所定の姿勢で挿入すると、メモリカードＭＣがスライダ５に保持され、当該保持された状態のままカード受容部２ａ内を進退可能となる。なお、奥壁部５ａのベースシェル４側の上面には、スライダ５がカード受容部２ａ内の奥側に位置するときに接触端子６との干渉を避けるための凹部５ｄが形成される。
【００３７】
カード受容部２ａ内におけるスライダ５の位置は、ハートカム機構（図示せず）と、スライダ５をカード挿入口２ｂ側に付勢するコイルスプリング等の付勢手段（図示せず）とを含む、公知のプッシュオン・プッシュプル機構によって制御される。例えば、メモリカードＭＣの挿入方向（進退方向）に沿って伸びるピン（図示せず）の一端を、カード受容部２ａの最奥部に設けたコンタクトブロック（図示せず）に回動可能に設ける一方、スライダ５のいずれかの側壁部５ｂに形成した溝部（図示せず）の底面に適宜な段差を設け、当該底面に向けて折り曲げた上記ピンの他端部を、コイルスプリングの付勢力あるいはメモリカードＭＣの押し込み力によって溝部の側壁に突き当てるとともに、カバーシェル３に設けたバネ構造体（図示せず）等によって溝部の底壁に押し当てるようにして、当該ピンのカード挿入口２ｂ側の端部を、少なくともある区間では逆行させず規定された順方向に案内する経路を形成する。そして、この溝部のカード挿入口２ｂ側の一部を平面視で略ハート形にして所謂ハートカム機構を形成することで、メモリカードＭＣのプッシュオン・プッシュオフ機構を具現化することができる。
【００３８】
接触端子６は、カード受容部２ａの奥側に設けられた樹脂等からなるコンタクトブロックに固定され、カード受容部２ａ内で、その奥側からカード挿入口２ｂ側に向けて延伸する。この接触端子６は、コンタクトブロックを貫通しており、そのカード挿入口２ｂ側の端部はメモリカードＭＣの電極１２ｄと接触する一方、その他端側は、電子機器に設けられた回路基板等に半田付けされる。なお、接触端子６は、コンタクトブロックにインサート成形によって固定してもよいし、コンタクトブロックに設けた小孔に嵌挿して固定してもよい。
【００３９】
次に、アンテナブロック１７について説明する。
【００４０】
アンテナブロック１７は、図３に示すように、２次アンテナ（ループコイル）２Ｂが形成されたアンテナ基板１０と、アンテナ基板１０の支持基台としてのベースプレート９と、ベースプレート９（およびアンテナ基板１０）をメモリカードＭＣの挿入方向に沿って進退可能にガイドするガイド部材８と、ガイド部材８に保持されて、ベースプレート９（およびアンテナ基板１０）をカード挿入口２ｂ側へ付勢する付勢手段としての板バネ１１とを備える。
【００４１】
ガイド部材８は、例えば樹脂材料によって棒状に形成されており、カバーシェル３の側壁部３ｂとベースシェル４の基底壁部４ａとの角部に沿って、当該角部を覆うようにして載置され、接着等によってソケットブロック７に固定される。
【００４２】
このガイド部材８には、図３および図４に示すように、内側かつ下側に向けて開口して長手方向に沿って伸びる段差状の溝部８ｂ，８ｄが形成される。このうち、下側の溝部８ｄの隅部は、カバーシェル３の側壁部３ｂの外側かつ先端側（上側）の角部に突き当てられるとともに、この溝部８ｄの長さは、側壁部３ｂの長さとほぼ同じかあるいは僅かに長くしてあり、当該溝部８ｄがソケットブロック７に対するガイド部材８ひいてはアンテナブロック１７の位置決め手段として機能するようにしてある。そして、この溝部８ｄの長手方向カード挿入口２ｂ側（図中左下側）の端壁部８ｃは、ベースプレート９およびアンテナ基板１０がカード挿入口２ｂ側に移動するのを規制する移動規制手段としても機能する。
【００４３】
一方、上側の溝部８ｂには、ベースプレート９の側壁から張り出す突条９ｄが当該溝部８ｂの長手方向に沿って移動可能に緩挿され、本実施形態では、この溝部８ｂおよび突条９ｄが、ガイド部材８に対してベースプレート９およびアンテナ基板１０をメモリカードＭＣの挿入方向に沿って進退可能に案内するガイド機構として機能するようにしてある。
【００４４】
ベースプレート９は、例えば樹脂材料によって略矩形の平板状に形成され、一対のガイド部材８，８に挟まれるよう配置される。そして、その中央部には、矩形の開口部９ａが形成されている。なお、ベースプレート９には、カード受容部２ａの奥側となる端縁を外方に略山形状に突出させた突出部９ｂが形成されており、この突出部９ｂに板バネ１１を嵌着するためのスリット９ｃが設けられている。
【００４５】
アンテナ基板１０は、例えば樹脂材料によって略矩形の平板状に形成され、一対のガイド部材８，８の上面間で架設される。ただし、このアンテナ基板１０は、ガイド部材８，８に対しては固定されず、ベースプレート９に接着等で固定されて、当該ベースプレート９とともに、ガイド部材８，８に対して相対的に進退し、アンテナブロック１７がソケットブロック７に装着された状態では、カード受容部２ａ内でのメモリカードＭＣの挿入方向（進退方向）に沿って進退するようになっている。
【００４６】
また、アンテナ基板１０の中央部には、矩形の開口部１０ａが形成されており、図５にも示すように、この開口部１０ａの周囲に、矩形状に多重（本実施形態では３重）に巻回されたコイル状の２次アンテナ２０Ｂが形成される。すなわち、本実施形態では、上記開口部９ａ，１０ａが、本発明の空洞部に相当する。なお、本実施形態では、この２次アンテナ２０Ｂは、アンテナ基板１０の表面上に導体パターンとして形成されるが、アンテナ基板１０内にインサート成形するなど、他の方法によって形成してもよい。
【００４７】
また、この２次アンテナ２０Ｂは、メモリカードＭＣがカード受容部２ａ内の奥側で保持された位置（装着位置）にあるときに、当該メモリカードＭＣのアンテナ２０Ａに対向するように設けられる。すなわち、本実施形態にかかるメモリカード用ソケット１は、メモリカードＭＣが装着された状態では、平面視で、アンテナ２０Ａと２次アンテナ２０Ｂとが重なり合うか、あるいはそれらアンテナ２０Ａおよび２次アンテナ２０Ｂのうち一方が他方のコイル内に配置されつつ相互のコイル同士が沿うように構成される。
【００４８】
なお、図３に示すように、２次アンテナ２０Ｂのループコイルの両端部を、スルーホール２１を介してアンテナ基板１０の下面側に配置した電子部品（例えばチップコンデンサ等、図示せず）に接続し、当該電子部品によって、２次アンテナ２０Ｂの周波数特性、特に高周波側の特性を適宜に調整できるようにするのが好適である。この場合、ベースプレート９には凹部９ｅを設け、当該電子部品がこの凹部９ｅとアンテナ基板１０とで囲まれた空間内に収容されるようにするのが好適である。
【００４９】
板バネ１１は、図６に示すように、細長く伸びる帯状部１１ａのほぼ中央にＵ字状の爪部１１ｂを設けた構成となっている。そして、図３に示すように、爪部１１ｂがベースプレート９の突出部９ｂに形成されたスリット９ｃに嵌め込まれる一方、帯状部１１ａの両端部が、それぞれガイド部材８の長手方向奥側（図中右上側）の端部に設けられた切欠部８ａに緩挿される。
【００５０】
そして、本実施形態では、図７に示すように、ベースプレート９およびアンテナ基板１０からなるアンテナブロック１７の可動部が、板バネ１１によって、メモリカードＭＣの挿入方向カード挿入口２ｂ側に向けて付勢されている。
【００５１】
図７の（ａ）は、可動部（ベースプレート９およびアンテナ基板１０）の初期状態を示しており、この状態では、板バネ１１は、ほぼ真っ直ぐに伸びた状態となっている。ここで、可動部を、メモリカードＭＣの挿入方向奥側（図中右上側）に押し込むと、ベースプレート９によって押された板バネ１１が山形に撓み、その弾性により、メモリカードＭＣの挿入方向カード挿入口２ｂ側に向けた付勢力Ｆｓが生じる。よって、この状態で、押力を解除すると、可動部は板バネ１１によってカード挿入口２ｂ側に押され、図７の（ａ）の状態まで戻る。なお、図７の（ａ）の状態では、板バネ１１は、セット荷重が作用しない自由状態となるようにし、さらに、この状態で、ベースプレート９の突条９ｄがガイド部材８の端壁部８ｃにほぼ突き当たって、可動部が図７（ａ）の状態よりもメモリカードＭＣの挿入方向手前側（図中左下側）に移動しないようにしてある。
【００５２】
さらに、本実施形態では、図７に示すように、メモリカードＭＣがカード受容部２ａの奥側の所定位置（ロック位置）に装着された状態で、メモリカードＭＣの挿入方向手前側の端縁（端面）１８と、可動部の手前側の端縁（端面）１９とが、ほぼ同位置で連なるようにし、例えば、メモリカードＭＣを取り外すときなどに、当該メモリカードＭＣを手指等で端縁１８を押し込むと、それに伴って可動部の端縁１９も押され、以て、メモリカードＭＣと可動部とが連動するようにしてある。
【００５３】
そして、以上の構成を備えるアンテナブロック１７は、一体的に仮組みされた状態で、ソケットブロック７に接着等して固定できるようにするのが好適である。
【００５４】
以上の本実施形態によれば、メモリカードＭＣをカード挿入口２ｂからカード受容部２ａ内に差し込んで、奥側に押し込むと、上記ハートカム機構を利用したプッシュオン・プッシュオフ機構により、メモリカードＭＣは、カード受容部２ａの最奥部まで一端押し込まれ、カード挿入口２ｂ側に僅かに戻った位置でロックされる。
【００５５】
そして、上述したように、本実施形態によれば、メモリカードＭＣがカード受容部２ａ内の奥側で保持された位置にあるときに、アンテナ２０Ａと２次アンテナ２０Ｂとが対向配置されるため、メモリカードＭＣの通信距離を伸ばすことができる。
【００５６】
さらに、本実施形態では、上述したように、２次アンテナ２０Ｂのコイルの内側となる部分に、開口部９ａ，１０ａによって空洞部を形成したため、コイルの内側となる部分に樹脂や金属等が存在した場合に比べて、当該コイルの内側となる部分の比誘電率を低くすることができ、以て、外部のリーダライタの磁界によって生じる電磁誘導起電力によるロスを小さくし、２次アンテナ２０ＢやメモリカードＭＣに内蔵されるアンテナ２０Ａの誘起電力を増大させ、通信距離をさらに伸ばすことができる。
【００５７】
また、本実施形態によれば、少なくともメモリカードＭＣの装着位置より奥側では、メモリカードＭＣとアンテナブロック１７の可動部とが連動して、アンテナ２０Ａおよび２次アンテナ２０Ｂの相対的な位置関係を一義的に定めることができるため、非接触通信の信頼性の向上を図ることができるという利点がある。
【００５８】
そして、本実施形態のように、ハートカム機構を利用したプッシュオン・プッシュオフ機構を採用した場合、メモリカードＭＣを装着する際と、取り出す際に、それぞれメモリカードＭＣを装着位置より奥側に押し込む必要があるが、このとき仮にアンテナブロックが固定されていると、メモリカードＭＣのみを押し込む操作が必要となって煩わしい。この点、本実施形態の場合、少なくとも装着位置より最奥位置までの区間において、アンテナブロック１７を奥側に動かすことができるため、アンテナブロック１７がメモリカードＭＣに対する押し込み操作の障害となるのを抑制し、操作性が向上するというメリットがある。
【００５９】
特に、本実施形態のように、アンテナブロック１７の可動部の挿入方向手前側の端縁（端面）１９の位置と、メモリカードＭＣが装着位置にあるときの挿入方向手前側の端縁（端面）１８の位置とを、メモリカードＭＣの挿入方向に略一致させ、手指によって双方を並行して押し込み操作できるようにすれば、スライダ５とアンテナブロック１７の可動部とを機構的に連結させる必要がなくなり、メモリカードＭＣとアンテナブロック１７の可動部とが対向する範囲を拡大して通信信頼性を向上させうる構成を、より簡素な構成として具現化することができ、部品点数を削減できる上、作業性を向上させ、製造コストを低減できるという効果がある。
【００６０】
また、アンテナ基板１０を、メモリカードＭＣの挿入方向手前側の端縁１８の位置まで広くとることができる分、２次アンテナ２０Ｂのレイアウトの自由度が向上して、性能向上や製造コスト削減に資するというメリットもある。
【００６１】
加えて、アンテナブロック１７の可動部は、メモリカードＭＣの装着位置に対応する位置よりも手前側に進出するのが規制されており、メモリカードＭＣを取り出すときには、付勢手段によって付勢されたスライダ５がカード受容部２ａのカード挿入口２ｂ側まで移動して、メモリカードＭＣは可動部より手前側に突出した状態となる。すなわち、本実施形態によれば、メモリカードＭＣを取り出しやすくなるという利点もある。
【００６２】
（第２実施形態）図８は、本実施形態にかかるメモリカード用ソケットの斜視図、図９は、図８のＤ−Ｄ断面図である。なお、本実施形態にかかるメモリカード用ソケット１Ａは、上記第１実施形態にかかるメモリカード用ソケット１と同様の構成要素を有している。よって、それら同様の構成要素については、共通の符号を付与するとともに、重複する説明を省略する。
【００６３】
本実施形態にかかるメモリカード用ソケット１Ａは、アンテナブロック１７Ａの２次アンテナ２０Ｂのコイルの内側となる部分に、空洞部を形成するのに替えて、磁性シート１３を設けた点が、上記第１実施形態にかかるメモリカード用ソケット１と異なっており、この点以外は、上記第１実施形態と全く同様の構成を備えている。
【００６４】
すなわち、本実施形態では、ベースプレート９Ａの矩形状の開口部９Ａａの周縁に、凹部９Ａｂ（図９）を形成し、この凹部９Ａｂに矩形状の磁性シート１３の周縁部を載せて、磁性シート１３を、ベースプレート９Ａとアンテナ基板１０とによって挟持し、アンテナ基板１０の開口部９ａおよびベースプレート９Ａの開口部９Ａａを、当該磁性シート１３によって塞いだものである。
【００６５】
ここで、磁性シート１３は、ゴム、樹脂等の非導電性かつ透磁性のバインダーとフェライト等の磁性粉またはフレークとを含む複合磁性シートであり、比透磁率が比較的高く（例えば２３０〜３００）、電気伝導性が実質的に無いシートとするのが好適である。
【００６６】
以上の本実施形態によれば、２次アンテナ２０Ｂのコイルの内側となる部分に設けた磁性シート１３によって、コイルの内側となる部分に樹脂や金属等が存在した場合に比べて、当該コイルの内側となる部分の比透磁率を高くすることができ、以て、外部のリーダライタの磁力線をコイルの内側に引き込み、２次アンテナ２０Ｂの誘起電力を増大させ、メモリカードＭＣの通信距離を伸ばすことができる。
【００６７】
そして、本実施形態によっても、上記第１実施形態で得られた効果とほぼ同等の効果を得ることができる。
【００６８】
（第３実施形態）図１０は、本実施形態にかかるメモリカード用ソケットの斜視図、図１１は、本実施形態にかかるメモリカード用ソケットの分解斜視図、図１２は、図１０のＥ−Ｅ断面図である。なお、本実施形態にかかるメモリカード用ソケット１Ｂは、上記第１実施形態にかかるメモリカード用ソケット１と同様の構成要素を有している。よって、それら同様の構成要素については、共通の符号を付与するとともに、重複する説明を省略する。
【００６９】
本実施形態にかかるメモリカード用ソケット１Ｂは、アンテナブロック１７Ｂ（図１１）をソケットブロック７Ｂに対して固定した点が、上記第１実施形態と相違している。
【００７０】
すなわち、図１１に示すように、ソケットブロック７Ｂにおいて、ベースシェル４の基底壁部４ａを切り起こして係止爪部４ｄを形成し、この係止爪部４ｄを、アンテナブロック１７Ｂのアンテナ基板１０Ｂおよびベースプレート９Ｂに設けた係止孔１０Ｂｂ，９Ｂｄに挿入して、当該係止爪部４ｄによってアンテナブロック１７Ｂを係止した構成としている。
【００７１】
また、本実施形態では、図１２にも示すように、ベースプレート９Ｂ（の基底壁部９Ｂａ）のほぼ中央部に、平面視で矩形状の凸部９Ｂｂを設け、この凸部９Ｂｂを、アンテナ基板１０Ｂの中央部に設けた平面視で略矩形状の開口部１０Ｂａに嵌挿するとともに、このベースプレート９Ｂ自体を、磁性シートとして成形している。なお、凸部９Ｂｂの角部には面取部９Ｂｃを設け、開口部１０Ｂａに装着しやすいようにしてある。かかる構成によれば、２次アンテナ２０ＢとメモリカードＭＣのアンテナ２０Ａとの間に磁性シートとしてのベースプレート９Ｂを介在させた状態を得ることができる。
【００７２】
そして、本実施形態でも、アンテナ基板１０Ｂには、メモリカードＭＣが装着位置にあるときに、当該メモリカードＭＣに内蔵されるアンテナ２０Ａと対向する位置に、２次アンテナ２０Ｂが形成されている。
【００７３】
以上の本実施形態によれば、アンテナブロック１７Ｂをソケットブロック７Ｂに対して固定するようにしたため、メモリカード用ソケット１Ｂを、より簡素な構成として具現化することができ、部品点数を削減できる上、作業性を向上させ、製造コストを低減できるという効果がある。
【００７４】
また、本実施形態によれば、メモリカードＭＣのアンテナ２０Ａに対向する２次アンテナ２０Ｂを設けたことによる効果に加えて、アンテナブロック１７Ｂに、２次アンテナ２０ＢとメモリカードＭＣのアンテナ２０Ａとの間に位置するように磁性シートとしてのベースプレート９Ｂを設けたため、外部のリーダライタの磁力線を引き込んで２次アンテナ２０Ｂの誘起電力を増大させ、通信距離を伸ばすことができる。
【００７５】
さらに、本実施形態では、当該磁性シートとしてのベースプレート９Ｂは、少なくとも２次アンテナ２０Ｂの外周縁より内側の全域をカバーするように設けてあるため、外部のリーダライタの磁力線を２次アンテナ２０Ｂのコイルの内側や２次アンテナ２０Ｂ上に引き込んで、当該２次アンテナ２０Ｂの誘起電力を増大させ、通信距離をさらに伸ばすことができる。
【００７６】
また、本実施形態では、ベースプレート９Ｂ自体を、磁性シートとして成形したため、ベースプレート９Ｂとは別に磁性シートを設けた場合に比べて、メモリカード用ソケット１Ｂを、より簡素な構成として具現化することができ、部品点数を削減できる上、作業性を向上させ、製造コストを低減できるという効果がある。
【００７７】
（第４実施形態）図１３は、本実施形態にかかるメモリカード用ソケットの斜視図、図１４は、本実施形態にかかるメモリカード用ソケットのアンテナブロックの分解斜視図である。なお、本実施形態にかかるメモリカード用ソケット１Ｃは、上記第１実施形態にかかるメモリカード用ソケット１と同様の構成要素を有している。よって、それら同様の構成要素については、共通の符号を付与するとともに、重複する説明を省略する。
【００７８】
本実施形態にかかるメモリカード用ソケット１Ｃは、アンテナブロック１７Ｃ（図１４）をソケットブロック７（図２）に対して固定した点が、上記第１実施形態と相違している。ただし、本実施形態にかかるメモリカード用ソケット１Ｃは、上記第３実施形態にかかるメモリカード用ソケット１Ｂとも相違している。
【００７９】
すなわち、第１実施形態にかかるメモリカード用ソケット１で用いられたものと同じソケットブロック７（図２）上に、ソケットブロック７の両外側縁に沿って下方に向けて突出する側壁部９Ｃｄを有してメモリカードＭＣの挿入方向に見て略コ字状となるベースプレート９Ｃを設け、このベースプレート９Ｃ上に形成した矩形状の浅い環状溝部９Ｃｅ内に、磁性シート１３Ｃを挿入して、当該磁性シート１３Ｃを、ベースプレート９Ｃとアンテナ基板１０Ｃとで挟持するようにしたものである。
【００８０】
より詳しくは、ベースプレート９Ｃは、例えば樹脂材料によって形成され、平面視で矩形板状の基底壁部９Ｃａと、その中央部において平面視で略矩形状に突出する凸部９Ｃｂと、基底壁部９Ｃａの一対の端辺から下方に向けて一定高さで突出する側壁部９Ｃｄと、を備えており、基底壁部９Ｃａの表面（上面）には、凸部９Ｃｂの周囲を取り囲むように、一定幅で矩形状の環状溝部９Ｃｅが形成してある。そして、凸部９Ｃｂは、アンテナ基板１０Ｃの中央部に形成された矩形状の開口部１０Ｃａ内に嵌挿される。
【００８１】
また、一対の側壁部９Ｃｄの間隔は、ソケットブロック７の側壁外面の間隔とほぼ同じかあるいは僅かに広くしてあり、ベースプレート９Ｃをソケットブロック７上に嵌着できるようにしてある。
【００８２】
磁性シート１３Ｃは、一定幅の帯状に形成されており、矩形状の環状溝部９Ｃｅの各辺に沿って一枚ずつ合計四枚を配置する。矩形状の環状溝部９Ｃｅは、四辺全て同じ幅に形成することで、帯状の磁性シートを適宜に切断して用いることができ、製造コストを削減することができる。
【００８３】
この帯状の磁性シート１３Ｃは、アンテナ基板１０Ｃに形成される２次アンテナ２０Ｂに沿って、その下方に位置するように配置される。
【００８４】
そして、本実施形態でも、アンテナブロック１７Ｃは、一体的に仮組みされた状態で、ソケットブロック７に接着等して固定できるようにするのが好適である。なお、ベースプレート９Ｃとアンテナ基板１０Ｃとは、接着等で固定され、さらに、アンテナブロック１７Ｃは、ソケットブロック７Ｃに対して、接着等で固定される。
【００８５】
以上の本実施形態によっても、アンテナブロック１７Ｃをソケットブロック７に対して固定したことによる上記第３実施形態と同様の効果が得られる。
【００８６】
また、本実施形態によっても、上記第３実施形態と同様、メモリカードＭＣのアンテナ２０Ａに対向する２次アンテナ２０Ｂを設けたことによる効果に加えて、アンテナブロック１７Ｃに、２次アンテナ２０ＢとメモリカードＭＣのアンテナ２０Ａとの間に位置するように磁性シート１３Ｃを設けたため、外部のリーダライタの磁力線を引き込んで２次アンテナ２０Ｂの誘起電力を増大させ、通信距離を伸ばすことができる。
【００８７】
ただし、本実施形態では、磁性シート１３Ｃを、２次アンテナ２０Ｂのコイルに沿って帯状に設けたため、外部のリーダライタの磁力線を２次アンテナ２０Ｂのコイルの内側や２次アンテナ２０Ｂ上に引き込んで、当該２次アンテナ２０Ｂの誘起電力を増大させるとともに、当該２次アンテナ２０Ｂの誘起電力による磁界と外部のリーダライタからの直接の磁界との双方をより効果的に作用させてメモリカードＭＣに内蔵されたアンテナ２０Ａの誘起電力を増大させて、通信距離を飛躍的に増大させることができる。
【００８８】
なお、本実施形態では、磁性シート１３Ｃを２次アンテナ２０Ｂの全周に沿って環状に配置したが、必ずしも環状に繋げる必要はなく、例えば挿入方向手前側の一辺を切り欠いて略Ｃ字状に配置したり、平行に一対のみ設けたりしてもよい。
【００８９】
以上、本発明の好適な実施形態について説明したが、本発明は上記実施形態に限定されず、種々の変形が可能である。
【００９０】
例えば、上記第１および第２実施形態では、アンテナブロックの可動部とメモリカードのスライダとを別個独立に動かす構成としたが、これらを連結して連動させるように構成してもよい。その場合には、例えば、スライダに、ケース（例えばベースシェル）に形成した穴や切欠を貫通する突起を設け、この突起をアンテナブロックの可動部（例えばベースプレート）に設けた係止孔に嵌挿するように構成することができる。この例の場合、メモリカードに内蔵されるアンテナとメモリカード用ソケットに設けられる２次アンテナとの対向する区間が長くなる分、通信信頼性をより一層向上させることができるという利点がある。
【００９１】
また、各実施形態で開示した構成要素を適宜に組み合わせて別のメモリカード用ソケットを構成することも可能である。
【図面の簡単な説明】
【００９２】
【図１】本発明の第１実施形態にかかるメモリカード用ソケットおよびメモリカードの斜視図。
【図２】本発明の実施形態にかかるメモリカード用ソケットに含まれるソケットブロックの斜視図。
【図３】本発明の第１実施形態にかかるメモリカード用ソケットに含まれるアンテナブロックの分解斜視図。
【図４】本発明の実施形態にかかるメモリカード用ソケットに含まれるアンテナブロックを可動案内するガイド部材を示す図であって、（ａ）は、図１のＢ−Ｂ断面図、（ｂ）は、（ａ）のＣ−Ｃ断面図。
【図５】図１のＡ−Ａ断面図。
【図６】本発明の実施形態にかかるメモリカード用ソケットで用いられる板バネを示す図であって、（ａ）は、平面図、（ｂ）は側面図。
【図７】本発明の第１実施形態にかかるメモリカード用ソケットにおけるアンテナブロックの動作図であって、（ａ）は、メモリカードが装着位置にある状態での斜視図、（ｂ）は、メモリカードが奥側に押し込まれた状態での斜視図。
【図８】本発明の第２実施形態にかかるメモリカード用ソケットの斜視図。
【図９】図８のＤ−Ｄ断面図。
【図１０】本発明の第３実施形態にかかるメモリカード用ソケットの斜視図。
【図１１】本発明の第３実施形態にかかるメモリカード用ソケットの分解斜視図。
【図１２】図１０のＥ−Ｅ断面図。
【図１３】本発明の第４実施形態にかかるメモリカード用ソケットの斜視図。
【図１４】本発明の第４実施形態にかかるメモリカード用ソケットに含まれるアンテナブロックの分解斜視図。
【符号の説明】
【００９３】
１，１Ａ，１Ｂ，１Ｃ  メモリカード用ソケット
２  ケース
２ａ  カード受容部
２ｂ  カード挿入口
５  スライダ
９ａ  開口部（空洞部）
９Ｂ  ベースプレート（磁性シート）
１０ａ  開口部（空洞部）
１３，１３Ｃ  磁性シート
１７，１７Ａ，１７Ｂ，１７Ｃ  アンテナブロック
２０Ａ  （メモリカードの）アンテナ
２０Ｂ  ２次アンテナ
ＭＣ  メモリカード
【図１】
0004517998.tif 000002
【図２】
0004517998.tif 000003
【図３】
0004517998.tif 000004
【図４】
0004517998.tif 000005
【図５】
0004517998.tif 000006
【図６】
0004517998.tif 000007
【図７】
0004517998.tif 000008
【図８】
0004517998.tif 000009
【図９】
0004517998.tif 000010
【図１０】
0004517998.tif 000011
【図１１】
0004517998.tif 000012
【図１２】
0004517998.tif 000013
【図１３】
0004517998.tif 000014
【図１４】
0004517998.tif 000015